(57)【要約】【課題】ユーザに対し、状況に応じて用紙束のセット方法を教示することができる用紙束印刷システムおよび用紙束プリンタを提供する。【解決手段】一方の端部を剥離可能に粘着した多数枚の用紙から成る用紙束をセットする用紙カセット２０と、用紙カセット２０が着脱自在に装着されるカセット装着部１９と、用紙カセット２０にセットした用紙束Ｈから用紙Ｈ１を１枚ずつ引き剥がし排出口１６に向かって送ると共に、送られてゆく用紙Ｈ１に印刷を行う印刷手段２２と、用紙カセット２０のカセット装着部１９からの開放を検出するカセット開放検出手段２８と、カセット開放検出手段２８の検出結果に基づいて、用紙束Ｈの用紙カセット２０へのセット方法を表示する表示手段８と、を備えた。【選択図】図３
2008074513.tif 000002
【特許請求の範囲】
【請求項１】
一方の端部を剥離可能に粘着した多数枚の用紙から成る用紙束をセットする用紙カセットと、
前記用紙カセットが着脱自在に装着されるカセット装着部と、
前記用紙カセットにセットした前記用紙束から前記用紙を１枚ずつ引き剥がし排出口に向かって送ると共に、送られてゆく前記用紙に印刷を行う印刷手段と、
前記用紙カセットの前記カセット装着部からの開放を検出するカセット開放検出手段と、
前記カセット開放検出手段の検出結果に基づいて、前記用紙束の前記用紙カセットへのセット方法を表示する表示手段と、を備えたことを特徴とする用紙束印刷システム。
【請求項２】
一方の端部を剥離可能に粘着した多数枚の用紙から成る用紙束をセットする用紙カセットと、
前記用紙カセットにセットした前記用紙束から前記用紙を１枚ずつ引き剥がし排出口に向かって送ると共に、送られてゆく前記用紙に印刷を行う印刷手段と、
前記用紙カセット内の前記用紙束の有無を検出する用紙束検出手段と、
前記用紙束検出手段により前記用紙束が無いことを検出した場合、前記用紙束の前記用紙カセットへのセット方法を表示する表示手段と、を備えたことを特徴とする用紙束印刷システム。
【請求項３】
前記用紙束の残量を検出する用紙残量検出手段を、更に備えたことを特徴とする請求項２に記載の用紙束印刷システム。
【請求項４】
一方の端部を剥離可能に粘着した多数枚の用紙から成る用紙束をセットする用紙カセットと、
前記用紙カセットにセットした前記用紙束から前記用紙を捲り上げる捲上げローラと、
捲り上げた前記用紙を前記捲上げローラと協働して引き剥がしながら排出口に向かって送ると共に、送られてゆく前記用紙に印刷を行う印刷手段と、
捲り上げられた前記用紙の有無を検出する捲上げ用紙検出手段と、
前記捲上げ用紙検出手段により前記用紙が無いことを検出した場合、前記用紙束の前記用紙カセットへのセット方法を表示する表示手段と、を備えたことを特徴とする用紙束印刷システム。
【請求項５】
一方の端部を剥離可能に粘着した多数枚の用紙から成る用紙束をセットする用紙カセットと、
前記用紙カセットにセットした前記用紙束から前記用紙を捲り上げる捲上げローラと、
捲り上げた前記用紙を前記捲上げローラと協働して引き剥がしながら排出口に向かって送ると共に、送られてゆく前記用紙に印刷を行う印刷手段と、
捲上げローラを、前記用紙束に臨む捲上げ位置と捲り上げた前記用紙を前記印刷手段との間に挟持する印刷位置との間で移動させるローラ移動手段と、
電源投入時に前記捲上げローラが初期位置にあるか否かを検出するローラ検出手段と、
前記ローラ検出手段により前記捲上げローラが無いことを検出した場合、前記用紙束の前記用紙カセットへのセット方法を表示する表示手段と、を備えたことを特徴とする用紙束印刷システム。
【請求項６】
一方の端部を剥離可能に粘着した多数枚の用紙から成る用紙束をセットする用紙カセットと、
前記用紙カセットにセットした前記用紙束から前記用紙を１枚ずつ引き剥がし排出口に向かって送ると共に、送られてゆく前記用紙に印刷を行う印刷手段と、
前記排出口から前記用紙が正常に排紙されたか否かを検出する排紙検出手段と、
前記排紙検出手段により前記用紙が正常に排紙されていないことを検出した場合、前記用紙束の前記用紙カセットへのセット方法を表示する表示手段と、を備えたことを特徴とする用紙束印刷システム。
【請求項７】
前記表示手段は、セット方法の表示に先立って、装置異常である旨を表示することを特徴とする請求項４ないし６のいずれかに記載の用紙束印刷システム。
【請求項８】
前記表示手段は、セット方法の表示に先立って、前記検出結果を表示することを特徴とする請求項１ないし７のいずれかに記載の用紙束印刷システム。
【請求項９】
前記セット方法には、前記用紙束の交換手順とセットする前記用紙束の姿勢指示と、が含まれることを特徴とする請求項１ないし８のいずれかに記載の用紙束印刷システム。
【請求項１０】
前記表示手段以外の全ての手段を備えた用紙束プリンタと、
前記表示手段を備えたコンピュータと、から成ることを特徴とする請求項１ないし９のいずれかに記載の用紙束印刷システム。
【請求項１１】
請求項１ないし９のいずれかに記載の用紙束印刷システムの全ての手段を備えたことを特徴とする用紙束プリンタ。
【発明の詳細な説明】
【技術分野】
【０００１】
本発明は、付箋紙束等の用紙束から１枚ずつ用紙を引き剥がして印刷する用紙束印刷システムおよび用紙束プリンタに関するものである。
【背景技術】
【０００２】
従来、この種の付箋紙プリンタ（用紙束プリンタ）として、付箋紙ホルダ（用紙カセット）に付箋紙束をセットして印刷待機状態とするものがある（特許文献１参照）。この付箋紙プリンタは、セットした付箋紙束の最上位の付箋紙の糊付けされていない自由端部に捲上げローラが転接して、付箋紙を捲り上げ、捲り上げた付箋紙を引き剥がしながらこれに印刷を行う。
【特許文献１】特開２００３−２１２３６７号公報
【発明の開示】
【発明が解決しようとする課題】
【０００３】
ところで、付箋紙束は、その一方の端部が糊付けされていない自由端部となっており、他方の端部が糊付けされた固定端部となっている。このため、従来の付箋紙プリンタにおいて、付箋紙束を付箋紙カセットに対し、誤った姿勢、例えば、自由端部と固定端部を逆にして装着してしまうと、付箋紙束から付箋紙が捲上げローラにより捲り上げられず、捲り上げ不良等の不具合を引き起こしてしまう問題がある。
【０００４】
本発明は、ユーザに対し、状況に応じて用紙束のセット方法を教示することができる用紙束印刷システムおよび用紙束プリンタを提供することを課題とする。
【課題を解決するための手段】
【０００５】
本発明の用紙束印刷システムは、一方の端部を剥離可能に粘着した多数枚の用紙から成る用紙束をセットする用紙カセットと、用紙カセットが着脱自在に装着されるカセット装着部と、用紙カセットにセットした用紙束から用紙を１枚ずつ引き剥がし排出口に向かって送ると共に、送られてゆく用紙に印刷を行う印刷手段と、用紙カセットのカセット装着部からの開放を検出するカセット開放検出手段と、カセット開放検出手段の検出結果に基づいて、用紙束の用紙カセットへのセット方法を表示する表示手段と、を備えたことを特徴とする。
【０００６】
この構成によれば、カセット装着部から用紙カセットが開放されると、表示手段に用紙束の用紙カセットへのセット方法が表示されるため、ユーザは、セット方法を視認しながら、用紙カセットへ適切に用紙束を装着することが可能となる。これにより、用紙カセットに対し用紙束が誤った状態で装着されることを抑制することができるため、装着ミスによる不具合を解消することができる。なお、用紙束としては、付箋紙束やメモパッド等がある。
【０００７】
本発明の他の用紙束印刷システムは、一方の端部を剥離可能に粘着した多数枚の用紙から成る用紙束をセットする用紙カセットと、用紙カセットにセットした用紙束から用紙を１枚ずつ引き剥がし排出口に向かって送ると共に、送られてゆく用紙に印刷を行う印刷手段と、用紙カセット内の用紙束の有無を検出する用紙束検出手段と、用紙束検出手段により前記用紙束が無いことを検出した場合、用紙束の用紙カセットへのセット方法を表示する表示手段と、を備えたことを特徴とする。
【０００８】
この構成によれば、用紙カセットに用紙束がセットされていないことを検出することができ、同時に、表示手段に用紙束の用紙カセットへのセット方法が表示されるため、ユーザは、セット方法を視認しながら、用紙カセットへ適切に用紙束を装着することが可能となる。
【０００９】
この場合、用紙束の残量を検出する用紙残量検出手段を、更に備えたことが、好ましい。
【００１０】
この構成によれば、用紙カセットを都度引き出すことなく用紙束の残量をユーザが視認することで、用紙束の交換時期を容易に把握することができる。
【００１１】
本発明の他の用紙束印刷システムは、一方の端部を剥離可能に粘着した多数枚の用紙から成る用紙束をセットする用紙カセットと、用紙カセットにセットした用紙束から用紙を捲り上げる捲上げローラと、捲り上げた用紙を捲上げローラと協働して引き剥がしながら排出口に向かって送ると共に、送られてゆく用紙に印刷を行う印刷手段と、捲り上げられた用紙の有無を検出する捲上げ用紙検出手段と、捲上げ用紙検出手段により前記用紙が無いことを検出した場合、用紙束の用紙カセットへのセット方法を表示する表示手段と、を備えたことを特徴とする。
【００１２】
この構成によれば、用紙が正しい位置に捲り上げられていないことを検知することができ、同時に、表示手段に用紙束の用紙カセットへのセット方法が表示されるため、ユーザは、セット方法を視認しながら、用紙カセットへ適切に用紙束を装着することが可能となる。
【００１３】
本発明の他の用紙束印刷システムは、一方の端部を剥離可能に粘着した多数枚の用紙から成る用紙束をセットする用紙カセットと、用紙カセットにセットした用紙束から用紙を捲り上げる捲上げローラと、捲り上げた用紙を捲上げローラと協働して引き剥がしながら排出口に向かって送ると共に、送られてゆく用紙に印刷を行う印刷手段と、捲上げローラを、用紙束に臨む捲上げ位置と捲り上げた用紙を印刷手段との間に挟持する印刷位置との間で移動させるローラ移動手段と、電源投入時に捲上げローラが初期位置にあるか否かを検出するローラ検出手段と、ローラ検出手段により前記捲上げローラが無いことを検出した場合、用紙束の用紙カセットへのセット方法を表示する表示手段と、を備えたことを特徴とする。
【００１４】
この構成によれば、電源投入時に捲上げローラが初期位置に無いことを検知することができ、同時に、表示手段に用紙束の用紙カセットへのセット方法が表示されるため、ユーザは、セット方法を視認しながら、用紙カセットへ適切に用紙束を装着することが可能となる。
【００１５】
本発明の他の用紙束印刷システムは、一方の端部を剥離可能に粘着した多数枚の用紙から成る用紙束をセットする用紙カセットと、用紙カセットにセットした用紙束から用紙を１枚ずつ引き剥がし排出口に向かって送ると共に、送られてゆく用紙に印刷を行う印刷手段と、排出口から用紙が正常に排紙されたか否かを検出する排紙検出手段と、排紙検出手段により前記用紙が正常に排紙されていないことを検出した場合、用紙束の用紙カセットへのセット方法を表示する表示手段と、を備えたことを特徴とする。
【００１６】
この構成によれば、排出口から用紙が正常に排紙されないことを検知することができ、同時に、表示手段に用紙束の用紙カセットへのセット方法が表示されるため、ユーザは、セット方法を視認しながら、用紙カセットへ適切に用紙束を装着することが可能となる。
【００１７】
この場合、表示手段は、セット方法の表示に先立って、装置異常である旨を表示することが、好ましい。
【００１８】
この構成によれば、ユーザに対し、装置異常であることを教示することができる。
【００１９】
この場合、表示手段は、セット方法の表示に先立って、検出結果を表示することが、好ましい。
【００２０】
この構成によれば、各検出手段の検出結果を表示することで、ユーザは、用紙カセット、用紙、用紙束や捲上げローラ等の状態を把握することができるため、検出結果に合わせた対応を取ることができる。
【００２１】
これらの場合、セット方法には、用紙束の交換手順とセットする用紙束の姿勢指示と、が含まれることが、好ましい。
【００２２】
この構成によれば、ユーザは、表示手段に表示された交換手順に従って、用紙束の姿勢を確認しつつ、用紙カセットにセットすることができる。このため、用紙カセットへの装着ミスを抑制することができる。なお、セット方法は、用紙束の交換手順や姿勢指示を、文章により表示しても良いし、アニメーションにより表示しても良い。
【００２３】
この場合、表示手段以外の全ての手段を備えた用紙束プリンタと、表示手段を備えたコンピュータと、から成ることが、好ましい。
【００２４】
この構成によれば、コンピュータを利用して、各検出手段の検出結果に基づいて、用紙カセットへの用紙束のセットするセット方法を表示手段に表示することができる。
【００２５】
本発明の用紙束プリンタは、上記の用紙束印刷システムの全ての手段を備えたことを特徴とする。
【００２６】
この構成によれば、用紙束プリンタ単体で、各検出手段の検出結果に基づいて、用紙カセットへの用紙束のセットするセット方法を表示手段に表示することができる。
【発明を実施するための最良の形態】
【００２７】
以下、添付の図面を参照して、本実施形態に係る付箋紙プリントシステム（用紙束印刷システム）について説明する。付箋紙プリントシステムは、パソコンで編集した印刷データに基づいて、付箋紙プリンタにより、これにセットした付箋紙束（用紙束）から最上位の付箋紙を捲り上げ、捲り上げた付箋紙を引き剥がしながら印刷を行って、装置外部に印刷済みの付箋紙を排出するものである。
【００２８】
図１に示すように、付箋紙プリントシステム１は、付箋紙束Ｈがセットされる付箋紙プリンタ２と、付箋紙プリンタ２にＵＳＢケーブル４等で接続され、付箋紙Ｈ１に印刷するための印刷データを作成・編集すると共に、付箋紙プリンタ２の各種駆動を制御するパソコン３とから構成されている。
【００２９】
パソコン３は、パソコン本体５と、パソコン本体５に接続され、データを入力するキーボード６およびマウス７と、入力結果等を表示するディスプレイ８とを有しており、パソコン本体５には、付箋紙プリンタ２に関するアプリケーションソフト（プログラム）やデバイスドライバ等のデータを記憶したＣＤ−ＲＯＭ９が着脱自在にセットされている。そして、キーボード６等から各種検出信号、各種指令、各種データ等が入力されると、パソコン３は、ＣＤ−ＲＯＭ９内のプログラムに従って、各種データを処理し、付箋紙プリンタ２を制御するようになっている。また、詳細は後述するが、ディスプレイ８は、付箋紙プリンタ２にセットされる付箋紙束Ｈのセット方法を表示する表示手段として構成されている。
【００３０】
なお、当然ではあるが、付箋紙プリンタ２に印刷データの作成・編集機能や各部の制御機能やディスプレイを設け、付箋紙プリンタ２を単体として用いて、付箋紙Ｈ１に対する印刷を行うようにしてもよい。
【００３１】
図２に示すように、付箋紙プリンタ２は、装置ケース１５により外殻が形成され、装置ケース１５の内部に付箋紙束Ｈがセットされる構成となっている。そして、付箋紙プリンタ２は、セットした付箋紙束Ｈから１枚ずつ引き剥がした付箋紙Ｈ１に対し、パソコン３で作成した所望のキャラクタ列を印刷し、これを装置ケース１５に形成した排出部１３から送り出すようにしている。
【００３２】
装置ケース１５は、全体として小型に形成されており、装置ケース１５の下部前面には、後述する付箋紙カセット２０を導入するためのカセット導入開口１７が形成され、装置ケース１５内部には、カセット導入開口１７から付箋紙カセット２０をケース内部に前方から引出し式で導入するカセット装着部１９が形成されている。排出部１３は、上部前面中央に設けられると共に印刷済み付箋紙Ｈ１をケース外部に送り出すための水平スリット状の排出口１６と、排出口１６を境にケース内部からケース外部へ延在し、引き剥がされた印刷済み付箋紙Ｈ１を受け留める受け部１４と、が形成されている。また、装置ケース１５の上面には、インクリボンＲを収容したリボンカートリッジＣを装着すると共に、メンテナンスのための開閉蓋１８が取り付けられている。
【００３３】
図３に示すように、付箋紙束Ｈは、裏面の基端部を部分糊付けした長方形状の複数枚の付箋紙Ｈ１を積層したものである。付箋紙Ｈ１は、付箋紙束Ｈから１枚ずつ剥離されると共に、剥離後に、この基端部の糊付け部を介して、手帳等に貼着可能に構成されている。
【００３４】
付箋紙プリンタ２は、付箋紙束Ｈをセットする付箋紙カセット２０と、捲上げローラ２５を有し、セットした付箋紙束Ｈの最上位の付箋紙Ｈ１を捲上げ位置２３において捲り上げた後、付箋紙Ｈ１を引き剥がして排出口１６に向かって搬送する付箋紙搬送手段２１と、サーマルヘッド２６を有し、捲上げローラ２５と協働して搬送されてゆく付箋紙Ｈ１に印刷を行う印刷手段２２と、を備え、これらは上記した装置ケース１５内に収容されている。つまり、上記の捲上げローラ２５は、付箋紙搬送手段２１の送りローラと印刷手段２２のプラテンローラとを兼ねた構成となっている。
【００３５】
また、付箋紙プリンタ２の内部には、各種検出センサが設けられており、付箋紙カセット２０のカセット装着部１９からの開放を検出するカセット開放検出センサ２８と、付箋紙束Ｈの有無を検出する付箋紙束検出センサ（用紙束検出手段）２９と、消費されてゆく付箋紙束Ｈの残量を検出する付箋紙残量検出センサ（用紙残量検出手段）３０と、捲上げ位置２３において捲り上げた付箋紙Ｈ１の有無を検出する付箋紙検出センサ（捲上げ用紙検出手段）３１と、電源投入時に捲上げローラ２５が初期位置にあるか否かを検出するローラ検出センサ（ローラ検出手段）３２と、排出口１６から付箋紙Ｈ１が正常に排紙されたか否かを検出する排紙検出センサ（排紙検出手段）３３と、を備えている。
【００３６】
付箋紙カセット２０は、上面を開放すると共にボックス状に形成されたカセットケース３５と、カセットケース３５に収容され、付箋紙束Ｈを水平に載置する載置ステージ３６と、で構成され、載置ステージ３６とカセットケース３５の底面との間には、載置ステージ３６を上方に付勢するコイルバネ３７が間に設けられている。また、付箋紙カセット２０は、装置ケース１５に対し、引き出し式で装着する構成となっており、カセット装着部１９に着脱自在に装着される。このため、付箋紙束Ｈの交換または取替えを行う際には、付箋紙カセット２０ごと取り出して、付箋紙束Ｈをセットする。なお、カセットケース３５の装着方向先頭面は、後述するカセット開放検出センサ２８をスイッチングするよう構成されている。
【００３７】
カセットケース３５は、載置ステージ３６をスライドするよう案内する四周枠状のケース本体３８と、ケース本体３８の上端部に設けられ、付箋紙束Ｈの先端部Ｈｓおよび基端部Ｈｋを押さえるよう内向きに突設された一対の位置規制部３９と、を有している。なお、詳細は後述するが、一対の位置規制部３９の一方には、付箋紙束検出センサ２９の接触子６０、６０が設けられている。
【００３８】
載置ステージ３６は、板状に形成され、例えば４つのコイルバネ３７により上方に付勢されており、これにセットされた付箋紙束Ｈは、付箋紙Ｈ１が１枚ずつ送り出され目減りしても、一対の位置規制部３９により、その最上位に位置する付箋紙Ｈ１の高さレベルが一定となっている。このとき、付箋紙束Ｈをセットした位置が、付箋紙搬送手段２１により捲り上げられる捲上げ位置２３となる。また、載置ステージ３６の装着方向奥側には、カセットケース３５から突出し、後述する付箋紙残量検出センサ３０の検出子となる検出突起４０が、載置ステージ３６の上下移動に合わせて移動するよう構成されている。
【００３９】
この付箋紙カセット２０に、カセットケース３５の上方から付箋紙束Ｈを載置ステージ３６上にセットすると、付箋紙束Ｈは、コイルバネ３７により上方に付勢されると共に、その先端部Ｈｓおよび基端部Ｈｋが一対の位置規制部３９により、水平に載置された状態で捲上げ位置２３に位置規制される。
【００４０】
付箋紙搬送手段２１は、捲上げ位置２３に臨んだ付箋紙束Ｈの最上位の付箋紙Ｈ１を捲り上げるよう構成されており、最上位の付箋紙Ｈ１に転接してこれを捲り上げると共に捲り上げた付箋紙Ｈ１を引き剥がす捲上げローラ２５と、捲上げローラ２５を捲上げ位置２３とサーマルヘッド２６に接触する印刷位置２４との間で移動させるローラ移動手段４５と、捲上げローラ２５およびローラ移動手段４５の駆動源となる駆動モータ４６と、駆動モータ４６の駆動力を捲上げローラ２５およびローラ移動手段４５に伝達する減速ギヤ列４７と、を備えている。
【００４１】
捲上げローラ２５は、捲り上げた付箋紙Ｈ１の先端側の裏面に転接すると共に、印刷位置２４において付箋紙を引き剥がしながら回転送りするものであり、付箋紙Ｈ１に直接転接するローラ本体５０と、ローラ本体５０の回転軸となるローラ駆動軸５１とを有している。ローラ駆動軸５１は、減速ギヤ列４７を介して伝達される駆動モータ４６の動力により回転する。
【００４２】
ローラ移動手段４５は、先端部でローラ駆動軸５１を回転自在に保持すると共に、基端部を中心に回動（揺動）自在に構成された一対の回動アーム５２を有しており、例えば、一方の回動アーム５２をキャリアとし、且つ上記の減速ギヤ列４７を構成する一部のギヤを利用した遊星歯車機構と、そのギヤの回転力を回動アーム５２の回動動作に変換するカム機構とにより構成されている。すなわち、遊星歯車機構による円運動が、カム機構により回動アーム５２の往復回動運動に変換されるようになっている。この回動アーム５２の往復回動運動により、捲上げローラ２５が、捲上げ位置２３と印刷位置２４との間で往復移動する。また、ローラ移動手段４５は、初期状態（印刷待機状態）において、捲上げローラ２５を捲上げ位置２３に位置するようにしており、捲上げ位置２３を動作開始位置として、一連の印刷処理動作を開始するよう構成されている。
【００４３】
印刷手段２２は、排出口１６の近傍に配設されたサーマルヘッド２６と、装着されたリボンカートリッジＣのインクリボンＲを巻き取るリボン巻取り機構（図示省略）とを有している。リボンカートリッジＣは、インクリボンＲを繰り出し自在に巻回したリボン繰出しリール５５と、インクリボンＲを巻き取るリボン巻取りリール５６と、これらを回転自在に収容するカートリッジケース（図示省略）とから構成されている。また、リボン巻取り機構は、捲上げローラ２５が印刷位置２４へ移動すると、上記の減速ギヤ列４７と連結して駆動モータ４６からの動力が入力するようになっており、付箋紙Ｈ１の送りと併せて、インクリボンＲの巻取り（送り）を開始するようになっている。
【００４４】
このようにして構成された印刷手段２２は、パソコン３からの制御信号により、サーマルヘッド２６および駆動モータ４６が制御されながら、付箋紙Ｈ１に対する印刷送り動作を行う。すなわち、印刷位置２４に移動した捲上げローラ２５とサーマルヘッド２６との間で、付箋紙Ｈ１とインクリボンＲとを挟み込み、これらを同方向に送りつつ、サーマルヘッド２６の発熱駆動により付箋紙Ｈ１の表面に印刷を行う。
【００４５】
カセット開放検出センサ２８は、マイクロスイッチで構成され、カセット装着部１９に装着する付箋紙カセット２０の装着方向先頭面によりスイッチングされるよう、カセット装着部１９の最奥部に設けられている。すなわち、カセット開放検出センサ２８は、スイッチングされると、付箋紙カセット２０が閉塞状態であることを検出し、一方、スイッチングされていないと、付箋紙カセット２０が開放状態であることを検出する。この検出結果は、接続されたパソコン３に入力され、パソコン３は、検出結果に基づいて、付箋紙カセット２０が開放状態であることを検出した場合、付箋紙カセット２０が開放状態であることをディスプレイ８上に報知すると共に、付箋紙束Ｈのセット方法を表示する。
【００４６】
ここで、図４を参照して、ディスプレイ８上に表示される付箋紙束Ｈのセット方法について具体的に説明する。なお、本実施形態において、セット方法は、ディスプレイ８上に省スペースで表示すべく、文章のみで構成されている。この場合、例えば、「付箋紙カセットが開いています。付箋紙をセットする場合は、糊側を奥に、印刷面を上にしてください。」等の表示をする。また、これに代えて、「付箋紙カセットが開いています。付箋紙のセット方法の説明はこちら［説明］」と表示し、［説明］の部分にリンクを貼っておき、リンク先にセット方法を表示するようにしてもよい。なお、ディスプレイ８上に省スペースで表示する必要がなければ、アニメーションにより表示しても良い。
【００４７】
付箋紙束検出センサ２９は、一対の接触子６０、６０で構成されており、その一方は、一方の位置規制部３９の内側に設けられた接触子６０、６０と、これに対峙し、載置ステージ３６上に設けられた接触子６０、６０とから成り、セットした付箋紙束Ｈを挟むように設けられている。すなわち、一対の接触子６０、６０が接触している場合は、付箋紙束Ｈ「無」を検出し、一方、一対の接触子６０、６０が非接触状態にある場合は、付箋紙束Ｈ「有」を検出する。この検出結果は、上記と同様に、パソコン３に入力され、パソコン３は、この検出結果に基づいて、付箋紙束Ｈ無しを検出した場合、ディスプレイ８上に付箋紙束Ｈが無くなったことを表示すると共に、付箋紙束Ｈのセット方法を表示する。
【００４８】
この場合、図５に示すように、ディスプレイ８上には、例えば、「付箋紙がありません。付箋紙をセットする場合は、糊側を奥に、印刷面を上にしてください。」と表示する。また、これに代えて、上記と同様に、「付箋紙がありません。付箋紙のセット方法の説明はこちら［説明］」と表示してもよい。なお、付箋紙が無い場合は、付箋紙カセット２０を開放して新たな付箋紙束Ｈをセットするため、この時点において、セット方法を表示せず、「付箋紙がありません。付箋紙カセットに付箋紙束をセットしてください。」のみの表示でも良い。
【００４９】
付箋紙残量検出センサ３０は、例えば、スライド抵抗センサで構成され、カセット装着部１９の奥側に配設されている。すなわち、載置ステージ３６の奥側に突出した上記の検出突起４０が、載置ステージ３６に合わせて上下移動することにより、付箋紙残量検出センサ３０の抵抗値を変化させ、その値により、付箋紙束Ｈの残量を検出するよう構成されている。このため、検出突起４０が下側に位置している場合は、この位置における抵抗値から、付箋紙束Ｈの残量は十分に有ることを検出し、一方、検出突起４０が上側に位置している場合は、この位置における抵抗値から、付箋紙束Ｈの残量は残り僅かであることを検出することができる。なお、付箋紙Ｈ１の残量が少なくなってきた場合は、その旨をディスプレイ８上に表示するようにしてもよい。
【００５０】
付箋紙検出センサ３１は、受光素子および発光素子から成る光学センサで構成されており、一方の素子を、排出口１６近傍の受け部１４の下方に配置し、他方の素子を、サーマルヘッド２６の図示右側に配置している。すなわち、捲上げローラ２５により捲り上げられた付箋紙Ｈ１の有無を検出するよう、捲り上げた付箋紙Ｈ１の先端部Ｈｓを挟むようにして設けられている。このため、捲り上げた付箋紙Ｈ１が正しい位置にあることが検出できなかった場合、パソコン３は、ディスプレイ８上に付箋紙Ｈ１が正常に捲り上げられていないことを表示すると共に、付箋紙束Ｈのセットミスの可能性があるため、同時にセット方法を表示する。
【００５１】
この場合、図６に示すように、ディスプレイ８上には、例えば、「付箋紙が正常に捲り上げられません。付箋紙のセット異常が考えられます。付箋紙をセットする場合は、糊側を奥に、印刷面を上にしてください。これ以外の場合は、リンク先を参照して、内部状態を確認してください。［説明］」と表示する。なお、付箋紙束Ｈをセットする場合、付箋紙カセット２０を開放するため、この時点において、セット方法を表示せず、「付箋紙が正常に捲り上げられません。リンク先を参照して、内部状態を確認してください。［説明］」と表示しても良い。
【００５２】
ローラ検出センサ３２は、受光素子および発光素子から成る光学センサで構成されており、捲上げローラ２５が捲上げ位置２３に臨んだ状態において、一方の回動アーム５２の下端部を挟み込むように配置されている。このため、印刷待機状態において、捲上げローラ２５が初期位置、つまり捲上げ位置２３に位置していない場合、ローラ検出センサ３２から、この検出結果がパソコン３に入力され、パソコン３は、この検出結果に基づいて、捲上げローラ２５が初期位置に無いことをディスプレイ８上に表示すると共に、付箋紙束Ｈのセットミスの可能性があるため、付箋紙束Ｈのセット方法を表示する。
【００５３】
この場合、図７に示すように、ディスプレイ８上には、例えば、「付箋紙プリンタの捲上げローラの位置が異常です。付箋紙のセット異常が考えられます。付箋紙をセットする場合は、糊側を奥に、印刷面を上にしてください。これ以外の場合は、リンク先を参照して、内部状態を確認してください。［説明］」と表示する。なお、付箋紙束Ｈをセットする場合、付箋紙カセット２０を開放するため、この時点において、セット方法を表示せず、「付箋紙プリンタの捲上げローラの位置が異常です。リンク先を参照して、内部状態を確認してください。［説明］」と表示しても良い。
【００５４】
排紙検出センサ３３は、受光素子および発光素子から成る光学センサで構成されており、一方の素子を、受け部１４の下方に配置すると共に、他方の素子を、受け部１４の上方に配置している。すなわち、排出口１６に向かって搬送される付箋紙Ｈ１の有無を検出するよう、付箋紙Ｈ１を挟むようにして排出口１６に隣接して設けられている。このため、印刷終了時において、例えば、付箋紙詰まり等により印刷済みの付箋紙Ｈ１が排出口１６に達していない場合、排紙検出センサ３３は、この旨の検出結果をパソコン３に入力し、パソコン３は、この検出結果に基づいて、ディスプレイ８上に排出口１６から印刷後の付箋紙Ｈ１が排出されていないことを表示すると共に、付箋紙束Ｈのセットミスの可能性があるため、付箋紙束Ｈのセット方法を表示する。
【００５５】
この場合、図８に示すように、ディスプレイ８上には、例えば、「付箋紙プリンタの排出口から付箋紙が排出されませんでした。付箋紙のセット異常が考えられます。付箋紙をセットする場合は、糊側を奥に、印刷面を上にしてください。これ以外の場合は、リンク先を参照して、内部状態を確認してください。［説明］」と表示する。なお、付箋紙束Ｈをセットする場合、付箋紙カセット２０を開放するため、この時点において、セット方法を表示せず、「付箋紙プリンタの排出口から付箋紙が排出されませんでした。リンク先を参照して、内部状態を確認してください。［説明］」と表示しても良い。
【００５６】
ここで、図９を参照して、付箋紙プリンタ２への電源投入時から付箋紙Ｈ１を捲り上げてこれを排出する一連の動作について説明する。付箋紙プリンタ２の電源を入れると、付箋紙プリンタ２は、捲上げローラ２５が捲上げ位置２３に臨むよう、また、付箋紙Ｈ１が捲上げローラ２５に乗り上げた状態となるよう、初期動作を行う。付箋紙プリンタ２の初期動作が完了すると、付箋紙プリンタ２は、印刷待機状態となる。つまり、印刷待機状態において、捲上げローラ２５は、捲上げ位置２３にあり、付箋紙カセット２０にセットされた付箋紙束Ｈの最上位の付箋紙Ｈ１が捲上げローラ２５に乗り上げた状態となっている（図９（ａ）参照）。
【００５７】
パソコン３により印刷開始を指示すると、付箋紙Ｈ１を載せた捲上げローラ２５は、回転（自転）しながら印刷位置２４に移動（公転）し、捲上げローラ２５は、サーマルヘッド２６との間に付箋紙Ｈ１およびインクリボンＲを挟み込む（図９（ｂ）参照）。捲上げローラ２５とサーマルヘッド２６との間に付箋紙Ｈ１が挟持されると、これに併せて付箋紙Ｈ１およびインクリボンＲの送りが開始される（図９（ｃ）参照）。
【００５８】
捲上げローラ２５は、付箋紙Ｈ１の裏面に転接してこれを付箋紙束Ｈから引き剥がし、先端側を先にして排出口１６に向けて回転送りすると同時に、プラテンローラとして機能する。すなわち、付箋紙束Ｈの基端部Ｈｋ、すなわち、糊付け部を引き剥がしながら、サーマルヘッド２６と捲上げローラ２５とが協働して、付箋紙Ｈ１の表面に先端側から印刷を行う（図９（ｄ）参照）。
【００５９】
そして、付箋紙Ｈ１の糊付け部が捲上げローラ２５に達すると、捲上げローラ２５は、印刷位置２４から捲上げ位置２３に移動し、その移動過程において、印刷済みの付箋紙Ｈ１を受け部１４に受け渡す。この時点において、受け部１４に受け渡された印刷済みの付箋紙Ｈ１は、ユーザにより取り去り可能となる（図９（ｅ）参照）。
【００６０】
次いで、捲上げ位置２３に臨んだ捲上げローラ２５は、回転して付箋紙束Ｈの最上位の付箋紙Ｈ１を捲り上げる捲上げ動作を開始する。すると、捲上げローラ２５が最上位の付箋紙Ｈ１に対し、表面の先端側に転接することで、その長手方向の中間部が次第に上方へと湾曲するように撓んでいく（図９（ｆ）参照）。
【００６１】
捲り上がっていく付箋紙Ｈ１の先端が捲上げローラ２５の下側を通過した直後、付箋紙Ｈ１は、捲上げローラ２５の回転により、捲上げローラ２５の上側に撥ね上げられ、付箋紙Ｈ１の先端部が捲上げローラ２５に乗り上げ、印刷待機状態となる（図９（ｇ）参照）。
【００６２】
次に、図１０および１１を参照して、付箋紙プリンタ２の初期動作における各種検出センサの検出フロー、および印刷動作における各種検出センサの検出フローについて説明する。先ず、初期動作における検出フローについて説明する。
【００６３】
付箋紙プリンタ２の電源が入れられると、先ず、カセット開放検出センサ２８により、付箋紙カセット２０が開放しているか否かを検出する（Ｓ１）。付箋紙カセット２０が閉塞していることを検出すると、次検出に移行する。一方、付箋紙カセット２０が開放していることを検出すると、パソコン３は、ディスプレイ８上に検出結果および付箋紙束Ｈのセット方法を表示する（Ｓ２）。そして、ユーザにより付箋紙カセット２０が閉塞されると、再度、カセット開放検出センサ２８により、付箋紙カセット２０が開放しているか否かを検出する。
【００６４】
次に、付箋紙束検出センサ２９により、付箋紙束Ｈがセットされているか否かを検出する（Ｓ３）。付箋紙カセット２０に付箋紙束Ｈがセットされていることを検出すると、初期動作に移行する。一方、付箋紙カセット２０に付箋紙がセットされていないことを検出すると、パソコン３は、ディスプレイ８上に検出結果および付箋紙束Ｈのセット方法を表示する（Ｓ４）。そして、ユーザにより付箋紙カセット２０を開放して、これに付箋紙束Ｈがセットされ、付箋紙カセット２０を閉塞すると、再度、Ｓ１の検出処理まで戻り、カセット開放検出センサ２８により、付箋紙カセット２０が開放しているか否かを検出する。
【００６５】
この後、捲上げローラ２５を初期位置に、付箋紙Ｈ１を捲上げローラ２５に乗り上げた状態にするべく初期動作を実行する（Ｓ５）。そして、ローラ検出センサ３２により、捲上げローラ２５が初期位置にあるか否かを検出する（Ｓ６）。捲上げローラ２５が捲上げ位置２３に臨んでいることを検出すると、次検出に移行する。一方、捲上げローラ２５が初期位置に臨んでいることが検出できないと、パソコン３は、ディスプレイ８上に検出結果および付箋紙束Ｈのセット方法を表示する（Ｓ７）。そして、ユーザにより、付箋紙カセット２０を開放して、付箋紙束Ｈの姿勢を確認および再セットを行なって、付箋紙カセットをカセット装着部１９に装着すると、再度、Ｓ１の検出処理に戻る。
【００６６】
最後に、付箋紙検出センサ３１により、捲上げローラ２５に捲り上げられた付箋紙Ｈ１が、捲上げローラ２５に乗り上げられているか否かを検出する（Ｓ８）。捲上げローラ２５に付箋紙Ｈ１が乗り上げられていることを検出すると、初期動作を完了する。一方、捲上げローラ２５に付箋紙Ｈ１が乗り上げていることが検出できないと、パソコン３は、ディスプレイ８上に検出結果および付箋紙束Ｈのセット方法を表示する（Ｓ９）。そして、ユーザにより、付箋紙カセット２０を開放して、付箋紙束Ｈの姿勢を確認および再セットを行なって、付箋紙カセット２０をカセット装着部１９に装着すると、再度、Ｓ１の検出処理に戻る。
【００６７】
以上により、初期動作が完了すると、付箋紙プリンタ２は、印刷待機状態となる。次に、付箋紙プリンタ２の印刷動作における各種検出センサの検出フローについて説明する。なお、上記と重複する部分については、説明を省略する。
【００６８】
ユーザにより印刷データが作成され、印刷ボタンが押されると、これを印刷開始指示（Ｓ１０）として、カセット開放検出センサ２８により、付箋紙カセット２０が開放しているか否かを検出する（Ｓ１１）。次に、付箋紙束検出センサ２９により、付箋紙束Ｈがセットされているか否かを検出する（Ｓ１３）。この後、ローラ検出センサ３２により、捲上げローラ２５が初期位置にあるか否かを検出する（Ｓ１５）。そして、付箋紙検出センサ３１により、捲上げローラ２５に捲り上げられた付箋紙Ｈ１が、捲上げローラ２５に乗り上げられているか否かを検出する（Ｓ１７）。
【００６９】
上記のセンシングが終了すると、付箋紙プリンタ２に印刷データが送られることで印刷指示がなされる（Ｓ１９）と共に、付箋紙プリンタ２は捲上げローラ２５を印刷位置２４に移動させ、印刷データに基づいて、サーマルヘッド２６および捲上げローラ２５により、印刷送り動作を行う（Ｓ２０）。そして、印刷された付箋紙Ｈ１を受け部１４に受け渡して、捲上げローラ２５を再び捲上げ位置２３に臨ませる。この後、ローラ検出センサ３２により、捲上げローラ２５が捲上げ位置２３に正常に戻ってきたか否かを検出する（Ｓ２３）。捲上げローラ２５が捲上げ位置２３に臨んでいることを検出すると、次検出に移行する。一方、捲上げローラ２５が捲上げ位置２３に臨んでいることが検出できないと、パソコン３は、ディスプレイ８上に検出結果および付箋紙束Ｈのセット方法を表示する（Ｓ２４）。そして、ユーザにより、付箋紙カセット２０を開放し、付箋紙束Ｈの姿勢を確認および再セットを行なって、付箋紙カセット２０をカセット装着部１９に装着する。すると、Ｓ２１に戻って、カセット開放検出センサ２８により、付箋紙カセット２０がカセット装着部１９に装着されたか否かを検出する（Ｓ２１）。カセット装着部１９に正常に付箋紙カセット２０が装着されると、付箋紙プリンタ２は、再度、捲上げローラ２５を、捲上げ位置２３に臨ませる。
【００７０】
この後、排紙検出センサ３３により、付箋紙Ｈ１が適切に排出口１６に排紙されたか否かを検出する（Ｓ２５）。排出口１６に付箋紙Ｈ１が適切に排紙されたことを検出すると、次印刷準備である捲上げ動作に移行する（Ｓ２７）。一方、排出口１６に付箋紙Ｈ１が臨んでいることが検出できないと、パソコン３は、ディスプレイ８上に検出結果および付箋紙束Ｈのセット方法を表示する（Ｓ２６）。そして、ユーザにより、付箋紙カセット２０を開放して、付箋紙束Ｈの姿勢を確認および再セットを行なって、付箋紙カセット２０をカセット装着部１９に装着する。すると、再度、Ｓ２１に戻り、カセット開放検出センサ２８により、付箋紙カセット２０がカセット装着部１９に装着されたか否かを検出する。
【００７１】
以上のように一連のセンシングが終了すると、付箋紙プリンタ２は、捲上げ動作を行い、捲上げローラ２５に付箋紙Ｈ１が乗り上げた状態とし、この後、再び、印刷待機状態となる。
【００７２】
以上のような構成によれば、各種検出センサにより、異常が検出されると、ディスプレイ８に付箋紙束Ｈのセット方法が表示されるため、ユーザは、この表示に従って、付箋紙束Ｈを付箋紙カセット２０にセットすることにより、適切に付箋紙束Ｈをセットすることができ、付箋紙束Ｈの装着ミスによる不具合を抑制することができる。なお、本実施形態の付箋紙残量検出センサ３０および付箋紙束検出センサ２９に代えて、セットした付箋紙束Ｈの枚数を入力する付箋紙枚数入力手段と、消費されてゆく付箋紙Ｈ１の枚数をカウントする付箋紙カウント手段と、を設け、入力した枚数から消費した枚数をディスプレイ８上に表示することで、付箋紙Ｈ１の残量を報知すると共に、付箋紙Ｈ１が無くなったことを報知してもよい。また、本実施形態では、用紙束として、付箋紙束Ｈを用いたが、メモパッド等を用いてもよい。
【図面の簡単な説明】
【００７３】
【図１】本実施形態に係る付箋紙プリントシステムの模式図である。
【図２】本実施形態に係る付箋紙プリンタの外観斜視図である。
【図３】本実施形態に係る付箋紙プリンタの内部模式図である。
【図４】カセット開放検出センサによりディスプレイに表示されるセット方法の説明図である。
【図５】付箋紙束検出センサによりディスプレイに表示されるセット方法の説明図である。
【図６】付箋紙検出センサによりディスプレイに表示されるセット方法の説明図である。
【図７】ローラ検出センサによりディスプレイに表示されるセット方法の説明図である。
【図８】排紙検出センサによりディスプレイに表示されるセット方法の説明図である。
【図９】付箋紙プリンタによる一連の印刷処理動作の説明図である。
【図１０】付箋紙プリンタの初期動作における各種検出センサの検出フロー図である。
【図１１】付箋紙プリンタの印刷動作における各種検出センサの検出フロー図である。
【符号の説明】
【００７４】
１…付箋紙プリントシステム  ２…付箋紙プリンタ  ３…パソコン  ８…ディスプレイ  １９…カセット装着部  ２０…付箋紙カセット  ２８…カセット開放検出センサ  ２９…付箋紙束検出センサ  ３０…付箋紙残量検出センサ  ３１…付箋紙検出センサ  ３２…ローラ検出センサ  ３３…排紙検出センサ  Ｈ…付箋紙束  Ｈ１…付箋紙  
【図１】
2008074513.tif 000003
【図２】
2008074513.tif 000004
【図３】
2008074513.tif 000005
【図４】
2008074513.tif 000006
【図５】
2008074513.tif 000007
【図６】
2008074513.tif 000008
【図７】
2008074513.tif 000009
【図８】
2008074513.tif 000010
【図９】
2008074513.tif 000011
【図１０】
2008074513.tif 000012
【図１１】
2008074513.tif 000013